(57)【要約】      （修正有）【課題】より短時間で火災が発生した階に対応するポンプが始動されることを可能とする。【解決手段】建築物の互いに異なる階に設けられ且つ吸込口が当該階の水槽に連通しており且つ吐出し口が当該階以上の少なくともひとつの階に設置された放水器に連通する複数のポンプと、前記複数のポンプを制御する少なくともひとつの制御盤と、を備え、前記複数のポンプは、下の階のポンプが上の階のポンプの上流側になるように連結され、所定の階での火災発生時には、前記複数のポンプのうち、当該火災発生現場の放水器に連通するポンプである第１のポンプが最初に始動し、前記第１のポンプの始動後に、当該第１のポンプよりも低い階のポンプが始動する、消火ポンプ装置。【選択図】図４
2020081004.tif 000002
【特許請求の範囲】
【請求項１】
吸込口が水槽に連通しており且つ吐出し口が少なくともひとつの放水器に連通する複数のポンプと、
前記複数のポンプを制御する少なくともひとつの制御盤と、
を備え、
前記複数のポンプは、建築物の互いに異なる階に設置され且つ下の階のポンプが上の階のポンプの上流側になるように連結され、
火災発生時には、前記複数のポンプのうち、当該火災発生現場の放水器に連通するポンプである第１のポンプが最初に始動し、前記第１のポンプの始動完了後に、当該第１のポンプよりも低い階のポンプが始動する、
消火ポンプ装置。
【請求項２】
前記火災発生時に始動したポンプを制御する制御盤は、当該ポンプの始動完了にて始動完了信号を出力し、
前記始動したポンプよりも低い階に設置された第２のポンプを制御する制御盤は、前記始動完了信号が入力されたら前記第２のポンプを始動する、
請求項１記載の消火ポンプ装置。
【請求項３】
前記火災発生時に、前記複数のポンプのうち最下階に設置されたポンプが始動するまで、前記第１のポンプから最下階のポンプまで順に始動する、
請求項１または請求項２に記載の消火ポンプ装置。
【請求項４】
前記消火ポンプ装置は、対応する前記ポンプの吐出し圧力を検出する複数の圧力センサを更に備え、
前記第１のポンプを制御する第１の制御盤は、前記対応する圧力センサによって検出された圧力が所定の始動圧まで下降した場合に前記火災発生と判断する、
請求項１から３のいずれか一項に記載の消火ポンプ装置。
【請求項５】
前記第１のポンプが始動後、所定の遅延時間の後に、当該第１のポンプよりも低い階のポンプが始動する、
請求項１から４のいずれか１項に記載の消火ポンプ装置。
【請求項６】
前記火災発生時に始動したポンプの吐出し圧力が、始動圧を下回って下落した後に反転して上昇し始めたら前記始動完了とする、
請求項１から５のいずれか１項に記載の消化ポンプ装置。
【請求項７】
ポンプの逆順次始動とポンプの順次始動とを切り替える切替手段にてポンプの逆順次始動に切り替えられた場合、前記火災発生時に前記制御盤は前記複数のポンプのうち前記第１ポンプを最初に始動させる前記処理を実行し、
前記切替手段にてポンプの順次始動に切り替えられた場合、前記火災発生時に前記制御盤は前記複数のポンプのうち最下階のポンプを最初に始動させる処理を実行する、
請求項１から６のいずれか一項に記載の消火ポンプ装置。
【請求項８】
前記切替手段は選択スイッチであって、
当該選択スイッチは操作者によって操作される、
請求項７に記載の消火ポンプ装置。
【請求項９】
吸込口が水槽に連通しており且つ吐出し口が少なくともひとつの放水器に連通するポンプを制御する制御盤であって、
火災発生を検出したら前記ポンプを始動し、前記ポンプの始動完了後に当該ポンプよりも下の階のポンプを始動するための始動完了信号を出力する制御部を備える、
制御盤。
【請求項１０】
複数のポンプが建築物の互いに異なる階に設置され且つ下の階のポンプが上の階のポンプの上流側になるように連結される消火ポンプ装置の消火ポンプユニットであって、
吸込口が水槽に連通しており且つ吐出し口が放水器に連通するポンプと、
前記ポンプを制御する制御盤と、
を備え、
前記制御盤は火災発生を検出したら前記ポンプを始動し、前記ポンプの始動完了後に当該ポンプより下の階のポンプを始動するための始動完了信号を出力する、
消火ポンプユニット。
【発明の詳細な説明】
【技術分野】
【０００１】
本発明は、消火ポンプ装置及び制御盤に関する。
【背景技術】
【０００２】
高層の建築物における消火設備では、下層階に設置された消火ポンプだけでは、高層階での火災時に放水できないため、階層毎に消火ポンプユニットを設置し、連結運転する。一例として、下層階用の消火ポンプユニット、中層階用の消火ポンプユニット、高層階用の消火ポンプユニットを直列に設置し、下層階から上層階方向への順序でポンプを運転する方法が知られている（例えば、特許文献１、特許文献２参照）。
【先行技術文献】
【特許文献】
【０００３】
【特許文献１】特開平７−１０８０６８号公報
【特許文献２】特許第４３１７０９３号公報
【発明の概要】
【発明が解決しようとする課題】
【０００４】
下層階より順次に運転を開始すると、高層階（もしくは中層階）の火災を検知してから、下層階のポンプの始動を経て、高層階のポンプの始動されるまでにタイムラグが発生する懸念がある。また上記の場合、各ポンプの始動に時間差を設ける必要がある。これは、例えば、ポンプの原動機が電動機である場合、複数のポンプの始動タイミングが重複することで、建築物の電源容量が不足しポンプの始動渋滞が発生するのを防止するためである。
【０００５】
原動機の始動は、大出力ポンプになるほど始動トルクが大きくなるため、時間を要する。また、ポンプの原動機が電動機である場合、火災で電源状態が不安定となりポンプの始動渋滞が発生することも懸念される。直列にポンプが設置される高層階用の消火ポンプ設備では、下層階に高層階よりも出力の大きなポンプを設置する。そのため、始動タイミングのみ時間差を設けるだけでは、下層階のポンプの始動中に上層階のポンプが始動してしまう恐れがある。そこで、従来では、所定の電源容量を超える複数のポンプ始動が重ならないようにするため、下層階のポンプの始動完了により次に上の階層のポンプを始動させている。そのため、下層階のポンプが何らかの外的要因によって始動渋滞してしまうと、上層階で火災が発生してからポンプが始動するまでにより多くのタイムラグが発生することが懸念される。また、火災発生からポンプ始動までのタイムラグを考慮しなくても良い方法として、大容量の圧力タンクを設置し圧力タンクに貯水された水によって初期消火することも考えられるが、高層階設備内の活用スペースを占有するため、敬遠される。
【０００６】
ここで、火災発生時には、火が燃え広がる前の初期消火によって鎮火することが重要であり、火災が発生した階層のポンプをより短時間で始動させる仕様が望まれている。
【０００７】
本発明は、上記問題に鑑みてなされたものであり、より短時間で、火災が発生した階層のポンプが始動され、速やかに初期消火できることを可能とする消火ポンプ装置及び制御盤を提供することを目的とする。
【課題を解決するための手段】
【０００８】
本発明の第１の態様に係る消火ポンプ装置は、吸込口が水槽に連通しており且つ吐出し口が少なくともひとつの放水器に連通する複数のポンプと、前記複数のポンプを制御する少なくともひとつの制御盤と、を備え、前記複数のポンプは、建築物の互いに異なる階に設置され且つ下の階のポンプが上の階のポンプの上流側になるように連結され、火災発生時には、前記複数のポンプのうち、当該火災発生現場の放水器に連通するポンプである第１のポンプが最初に始動し、前記第１のポンプの始動完了後に、当該第１のポンプよりも低い階のポンプが始動する。
【０００９】
この構成によれば、上の階で火災が発生した場合、階下のポンプの始動を待つことなく、当該火災が発生した階層のポンプが最初に始動されることで、速やかに初期消火できる。
【００１０】
本発明の第２の態様に係る消火ポンプ装置は、第１の態様に係る消火ポンプ装置であって、前記火災発生時に始動したポンプを制御する制御盤は、当該ポンプの始動完了にて始動完了信号を出力し、前記始動したポンプよりも低い階に設置された第２のポンプを制御する制御盤は、前記始動完了信号が入力されたら前記第２のポンプを始動する。
【００１１】
この構成によれば、先に始動したポンプの始動トルクのピークのタイミングと、第２のポンプの始動トルクのピークのタイミングが重ならないので、建築物の電源容量が不足しポンプの始動渋滞が発生する事態を防止することができる。
【００１２】
本発明の第３の態様に係る消火ポンプ装置は、第１の態様または第２の態様に係る消火ポンプ装置であって、前記火災発生時に、前記複数のポンプのうち最下階に設置されたポンプが始動するまで、前記第１のポンプから最下階のポンプまで順に始動する。
【００１３】
この構成によれば、各階に設けられた水槽の水を使用し、ポンプが空運転しないタイミングで火災発生の階から順にポンプを始動させ、速やかにポンプによる初期消火を行うことができる。
【００１４】
本発明の第４の態様に係る消火ポンプ装置は、第１から３のいずれかの態様に係る消火ポンプ装置であって、前記消火ポンプ装置は、対応する前記ポンプの吐出し圧力を検出する複数の圧力センサを更に備え、前記第１のポンプを制御する第１の制御盤は、前記対応する圧力センサによって検出された圧力が所定の始動圧まで下降した場合に前記火災発生と判断する。
【００１５】
この構成によれば、火災発生を適切に判断することができる。
【００１６】
本発明の第５の態様に係る消火ポンプ装置は、第１から４のいずれかの態様に係る消火ポンプ装置であって、前記第１のポンプが始動後、所定の遅延時間の後に、当該第１のポンプよりも低い階のポンプが始動する。
【００１７】
この構成によれば、先に始動するポンプの始動渋滞の影響を受けることなく、当該ポンプよりも低い階のポンプを始動できるので、延焼の危険性を低減することができる。
【００１８】
本発明の第６の態様に係る消火ポンプ装置は、第１から５のいずれかの態様に係る消火ポンプ装置であって、前記火災発生時に始動したポンプの吐出し圧力が、始動圧を下回って下落した後に反転して上昇し始めたら前記始動完了とする。
【００１９】
この構成によれば、先に始動するポンプの始動トルクがピークを越した後に始動完了とし、当該始動完了を受けて次のポンプが始動する。このため、先に始動するポンプの始動トルクのピークと次に始動するポンプの始動トルクのピークが重なることを防止できる。
【００２０】
本発明の第７の態様に係る消火ポンプ装置は、第１から６のいずれかの態様に係る消火ポンプ装置であって、ポンプの逆順次始動とポンプの順次始動とを切り替える切替手段にてポンプの逆順次始動に切り替えられた場合、前記火災発生時に前記制御盤は前記複数のポンプのうち前記第１ポンプを最初に始動させる前記処理を実行し、前記切替手段にてポンプの順次始動に切り替えられた場合、前記火災発生時に前記制御盤は前記複数のポンプのうち最下階のポンプを最初に始動させる処理を実行する。
【００２１】
この構成によれば、下層階より始動を開始する順次始動と、上層階より始動を開始する逆順次始動を切り替えることができる。
【００２２】
本発明の第８の態様に係る消火ポンプ装置は、第７の態様に係る消火ポンプ装置であって、前記切替手段は選択スイッチであって、当該選択スイッチは操作者によって操作される。
【００２３】
この構成によれば、操作者によって、下層階より始動を開始する順次始動と、上層階より始動を開始する逆順次始動を切り替えることができる。
【００２４】
本発明の第９の態様に係る制御盤は、吸込口が水槽に連通しており且つ吐出し口が少なくともひとつの放水器に連通するポンプを制御する制御盤であって、火災発生を検出したら前記ポンプを始動し、前記ポンプの始動完了後に当該ポンプより下の階のポンプを始動するための始動完了信号を出力する制御部を備える。
【００２５】
この構成によれば、上の階で火災が発生した場合、階下のポンプの始動を待つことなく、火災が発生した階層のポンプが最初に始動されることで、速やかに初期消火できる。
【００２６】
本発明の第１０の態様に係る消火ポンプユニットは、複数のポンプが建築物の互いに異なる階に設置され且つ下の階のポンプが上の階のポンプの上流側になるように連結される消火ポンプ装置の消火ポンプユニットであって、吸込口が水槽に連通しており且つ吐出し口が放水器に連通するポンプと、前記ポンプを制御する制御盤と、を備え、前記制御盤は火災発生を検出したら前記ポンプを始動し、前記ポンプの始動完了後に当該ポンプより下の階のポンプを始動するための始動完了信号を出力する。
【００２７】
この構成によれば、上の階で火災が発生した場合、階下のポンプの始動を待つことなく、火災が発生した階層のポンプが最初に始動されることで、速やかに初期消火できる。
【発明の効果】
【００２８】
本発明の一態様によれば、上の階で火災が発生した場合、階下のポンプの始動を待つことなく、当該火災が発生した階層のポンプが最初に始動されることで、速やかに初期消火できる。
【図面の簡単な説明】
【００２９】
【図１】本実施形態に係る消火ポンプ装置Ｓの構成を示す模式図である。
【図２】本実施形態に係る制御盤Ｃの構成を示す概略ブロック図である。
【図３】圧力タンクＰＴ１の圧力の時間変化の一例を示すグラフである。
【図４】本実施形態において高層階で火災が発生したときの制御盤Ｃ１の処理の流れの一例を示すフローチャートである。
【図５】消火ポンプ装置Ｓにおける逆順次始動の一例を示すフローチャートである。
【図６】消火ポンプ装置Ｓにおける順次始動の一例を示すフローチャートである。
【発明を実施するための形態】
【００３０】
以下、各実施形態について、図面を参照しながら説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００３１】
図１は、本実施形態に係る消火ポンプ装置Ｓの構成を示す模式図である。図１に示すように、ここでは簡単のために、ひとつの建築物内にて３つの階層を想定し、１階を下層階、２階を中層階、３階を高層階と呼ぶこととする。
【００３２】
図１に示すように、消火ポンプ装置Ｓは、高層階用の消火ポンプユニットＰＵ１、中層階用の消火ポンプユニットＰＵ２、および、低層階用の消火ポンプユニットＰＵ３を有する。高層階用の消火ポンプユニットＰＵ１、中層階用の消火ポンプユニットＰＵ２、および、低層階用の消火ポンプユニットＰＵ３の複数のポンプは、下の階層のポンプが上の階層のポンプの上流側になるように直列に連結される。ここで、下層階、中層階、高層階の各階層は、各階層に設置された各消火ポンプユニットＰＵ１，ＰＵ２，ＰＵ３にて消火できる範囲であればよく、複数の階床にて構成されてもよい。また、消火ポンプ装置Ｓが設置される建築物は、複数の階層にて構成されればよく、２つの階層や３つ以上の階層にて構成されてもよい。その場合も、各階層ごとに消火ポンプユニットが設けられ、下の階層のポンプが上の階層のポンプの上流側になるように直列に連結される。
【００３３】
図１に示す低層階用の消火ポンプユニットＰＵ３は、最下層に配置された水槽Ｔ３からの水を放水先並びに中層階へ搬送するポンプＰ３、配管ＰＰから分岐した分岐配管ＰＰ０を介してポンプＰ３の吐出し口と連通する圧力タンクＰＴ３を備える。圧力タンクＰＴ３は圧力保持器であって、火災発生からポンプＰ３による放水までは当該圧力タンクＰＴ３に貯水された水が放水される。ここで、ポンプＰ３の吐出し側には、ポンプＰ３への逆流を防止する逆止弁ＲＢ３と流路を遮断可能な止水弁Ｂ３が設けられている。具体的には、ポンプＰ３の吐出し口と圧力タンクＰＴ３との間の配管ＰＰに逆止弁ＲＢ３と止水弁Ｂ３が設けられている。なお、水槽Ｔ３のメンテナンスなどの特殊な場合を除いて、通常、止水弁Ｂ３は開状態で運用される。
【００３４】
更に低層階用の消火ポンプユニットＰＵ３は、圧力タンクＰＴ３内の圧力を検出する圧力センサＰＳ３と、圧力センサＰＳ３と信号線で接続された制御盤Ｃ３と、を備える。圧力センサＰＳ３はポンプＰ３の吐出し圧を検出する。また、制御盤Ｃ３は、ポンプＰ３を制御する制御部１４（図２）を備え、当該制御部１４には圧力センサＰＳ３によって検出された圧力値等の消火ポンプユニットＰＵ３における各種信号が入出力部１３（図２）を介して入力される。また、制御盤Ｃ３には、ポンプＰ３の原動機の一例である電動機（不図示）が接続される。
【００３５】
ポンプＰ３の吐出し管である配管ＰＰの下流から分岐した分岐配管ＰＰ１の先には、放水器の一例であるスプリンクラーヘッドＨ６が設けられ、また、一例として、分岐配管ＰＰ１中の流量を計測する流量センサＳ６が設けられているとよい。
同様に、配管ＰＰの下流から分岐した分岐配管ＰＰ２の先には、放水器の一例であるスプリンクラーヘッドＨ５が設けられ、また、一例として、分岐配管ＰＰ２中の流量を計測する流量センサＳ５が設けられているとよい。
【００３６】
配管ＰＰの下流の配管ＰＰ３は、更に二つに分岐し、一方の分岐配管ＰＰ４は中層階のポンプＰ２の吸込口と連通し、他方の分岐配管ＰＰ５は中層階の水槽Ｔ２に連通している。つまり、下層階のポンプＰ３は中層階のポンプＰ２の上流側になるように連結される。なお、本実施形態では、配管ＰＰの下流側は、配管ＰＰ３と配管ＰＰｂ２にてその流路が分岐している。配管ＰＰｂ２はポンプＰ２の吸込側と吐出し側をバイパスするための配管であって、配管ＰＰｂ２は、ポンプＰ３への逆流を防止するための逆止弁ＲＢ２ｂと仕切弁Ｂ２ｂが備えられる。一実施形態では、配管ＰＰｂ２は、なくてもよい。
【００３７】
中層階用の消火ポンプユニットＰＵ２は、中層階に配置された水槽Ｔ２または／およびポンプＰ３からの水を搬送するポンプＰ２と、ポンプＰ２を制御する制御盤Ｃ２と、を備える。配管ＰＰ６から分岐した分岐配管ＰＰ７を介して、ポンプＰ２の吐出口と連通する圧力タンクＰＴ２は、圧力保持器であって、火災発生時にポンプＰ２が始動するまでは当該圧力タンクＰＴ２に貯水された水が放出される。ポンプＰ２の下流側には、逆流を防止する逆止弁ＲＢ２ａと流路を遮断可能な止水弁Ｂ２ａが設けられている。具体的には、ポンプＰ２の吐出し口と圧力タンクＰＴ２との間の配管ＰＰ６には、逆止弁ＲＢ２ａと止水弁Ｂ２ａが設けられている。また、一実施形態として、配管ＰＰ６は、端部において配管ＰＰｂ２と連通している。なお、水槽Ｔ２のメンテナンスなどの特殊な場合を除いて、通常、止水弁Ｂ２ａは開状態で運用される。
【００３８】
更に、中層階用の消火ポンプユニットＰＵ２は、圧力タンクＰＴ２内の圧力を検出し、制御盤Ｃ２と信号線で接続された圧力センサＰＳ２を備える。圧力センサＰＳ２はポンプＰ２の吐出し圧を検出する。また、制御盤Ｃ２は、ポンプＰ２を制御する制御部１４（図２）を備え、当該制御部１４には圧力センサＰＳ２によって検出された圧力値等の消火ポンプユニットＰＵ２における各種信号が入出力部１３（図２）を介して入力される。また、制御盤Ｃ２には、ポンプＰ２の原動機の一例である電動機（不図示）が接続される。
【００３９】
ポンプＰ２の吐出し管である配管ＰＰ６の下流から分岐した分岐配管ＰＰ９の先には、放水器の一例であるスプリンクラーヘッドＨ４が設けられ、一実施形態として分岐配管ＰＰ９中の流量を計測する流量センサＳ４が設けられているとよい。
同様に、配管ＰＰ６の下流から分岐した分岐配管ＰＰ１０の先には、放水器の一例であるスプリンクラーヘッドＨ３が設けられ、一実施形態として分岐配管ＰＰ１０中の流量を計測する流量センサＳ３が設けられているとよい。
【００４０】
配管ＰＰ６の下流から分岐した分岐配管ＰＰ１１は、更に二つに分岐し、一方の分岐配管ＰＰ１２は高層階のポンプＰ１の吸込口と連通し、他方の分岐配管ＰＰ１３は中層階の水槽Ｔ１に連通している。つまり、ポンプＰ２はポンプＰ１の上流側になるように連結される。なお、本実施形態では、配管ＰＰ６の下流側は、配管ＰＰ１１と配管ＰＰｂ１にてその流路が分岐している。配管ＰＰｂ１はポンプＰ１の吸込側と吐出し側をバイパスするための配管であって、配管ＰＰｂ１は、ポンプＰ２への逆流を防止するための逆止弁ＲＢ１ｂと仕切弁Ｂ１ｂが備えられる。一実施形態では、配管ＰＰｂ１は、なくてもよい。
【００４１】
高層階用の消火ポンプユニットＰＵ１は、高層階に配置された水槽Ｔ１または／およびポンプＰ２からの水を搬送するポンプＰ１と、ポンプＰ１を制御する制御盤Ｃ１と、を備える。ポンプＰ１の吐出し口と配管ＰＰ１４から分岐した分岐配管ＰＰ１５を介して連通する圧力タンクＰＴ１は圧力保持器であって、火災発生時にポンプＰ１が始動するまでは当該圧力タンクＰＴ１に貯水された水が放出される。ポンプＰ１の下流側には、逆流を防止する逆止弁ＲＢ１ａと流路を遮断可能な止水弁Ｂ１ａが設けられている。具体的には、ポンプＰ１の吐出口と圧力タンクＰＴ１との間の分岐配管ＰＰ１３には、逆止弁ＲＢ１ａと止水弁Ｂ１ａが設けられている。また配管ＰＰ１４は、端部において配管ＰＰｂ１と連通している。なお、水槽Ｔ１のメンテナンスなどの特殊な場合を除いて、通常、止水弁Ｂ１ａは開状態で運用される。
【００４２】
更に高層階用の消火ポンプユニットＰＵ１は、制御盤Ｃ１と信号線で接続され、圧力タンクＰＴ１内の圧力を検出する圧力センサＰＳ１を備える。圧力センサＰＳ１はポンプＰ１の吐出し圧を検出する。また、制御盤Ｃ１は、ポンプＰ１を制御する制御部１４（図２）を備え、当該制御部には入出力部１３（図２）を介して、圧力センサＰＳ１によって検出された圧力値が入力される。
【００４３】
ポンプＰ１の吐出し管である配管ＰＰ１４の下流から分岐した分岐配管ＰＰ１６の先には、放水器の一例であるスプリンクラーヘッドＨ２が設けられ、一実施形態として分岐配管ＰＰ１６中の流量を計測する流量センサＳ２が設けられているとよい。
同様に、配管ＰＰ１４から分岐した分岐配管ＰＰ１７の先には、放水器の一例であるスプリンクラーヘッドＨ１が設けられ、一実施形態として、分岐配管ＰＰ１７中の流量を計測する流量センサＳ１が設けられているとよい。
【００４４】
続いて、制御盤Ｃ１〜Ｃ３の構成は共通しているから、共通する制御盤Ｃの構成について図２を用いて説明する。図２は、本実施形態に係る制御盤Ｃの構成を示す概略ブロック図である。図２に示すように、制御盤Ｃは、選択スイッチ１１、切替回路１２、入出力部１３、及び制御部１４を備える。また、制御盤Ｃは、各ポンプの状態を表示操作する運転パネルを有してもよい。選択スイッチ１１は、ポンプの逆順次始動とポンプの順次始動とを切り替える切替手段であって、操作者が、ポンプの逆順次始動か、ポンプの順次始動かを選択するスイッチである。
【００４５】
入出力部１３は、他の制御盤との信号の入出力や、各種センサ（圧力センサ等）の信号入力を行うインターフェース回路である。対応するポンプの制御を行う制御部１４は、例えば、ＣＰＵ（Ｃｅｎｔｒａｌ Ｐｒｏｃｅｓｓｉｎｇ Ｕｎｉｔ）やリレー等で構成され、逆順次始動回路１４１と順次始動回路１４２とタイマー１４３を備える。なお、他の制御盤との信号のやり取りは通信を用いてもよい。なお、本実施形態で、制御盤Ｃ１〜Ｃ３の入出力部１３は信号線Ｌ１（図１）にて接続されており、当該信号線Ｌ１を介して信号（火災信号、始動完了信号、始動中信号等）の入出力を行い、互いの状態を共有する。なお、一実施形態では、制御盤Ｃ１〜Ｃ３は通信にて互いの状態を共有してもよい。
【００４６】
逆順次始動回路１４１は、例えば、制御プログラムやリレーシーケンス等で構成され、火災発生時に当該火災が発生した階の放水器に連通するポンプである第１のポンプを始動するよう制御し、更に、第１のポンプの始動後に、当該第１のポンプよりも下階のポンプが始動するよう制御する。図５にて、その処理の詳細な説明を行う。
【００４７】
順次始動回路１４２は、例えば、制御プログラムやリレーシーケンス等で構成され、火災発生時に、最下階のポンプから順次始動させる処理を実行する。図６にて、その処理の詳細な説明を行う。
【００４８】
図２に示すように、本実施形態では、制御盤Ｃ１〜Ｃ３それぞれは切替回路１２を有している。切替回路１２は、操作者の操作に応じて、ポンプの逆順次始動とポンプの順次始動とを切り替える。具体的には例えば、切替回路１２は、操作者の操作に応じて、作動する対象を、逆順次始動回路１４１と順次始動回路１４２との間で切り替える。
【００４９】
これにより、切替回路１２がポンプの逆順次始動に切り替えられた場合、制御盤Ｃ１〜Ｃ３はそれぞれ、各階のポンプを火災発生の階から下階へ順次始動させる処理（逆順次始動回路１４１）を実行する。一方、切替回路１２がポンプの順次始動に切り替えられた場合、制御盤Ｃ１〜Ｃ３はそれぞれ、各階のポンプを下の階から上階へと順次始動させる処理（順次始動回路１４２）を実行する。この構成により、下層階のポンプより始動を開始する順次始動と、火災発生の階層のポンプより始動を開始する逆順次始動を選択することができる。例えば、建築物の設計者が、床面積や高さによって決まる消火ポンプユニットの容量や台数に基いて順次始動と逆順次始動を選択することができる。更には、この選択スイッチを設けることにより、現状は下層階からの順次始動で稼動し、将来の設備増減の際に選択スイッチの操作者が逆順次始動に切り替えることができる。
【００５０】
なお、本実施形態では、制御盤Ｃ１〜Ｃ３それぞれは選択スイッチ１１並びに切替回路１２を有しており、切替回路１２は、操作者の選択スイッチ１１の操作に応じて、ポンプの逆順次始動とポンプの順次始動とを切り替える。一実施形態では、制御盤Ｃ１〜Ｃ３の何れかひとつに選択スイッチ１１を設け、制御盤Ｃ１〜Ｃ３は、当該選択スイッチ１１の操作状態を通信や信号線等で共有してもよい。また、一実施形態では、選択スイッチ１１は制御盤Ｃの外部機器（例えば外部表示器等）に搭載されてもよい。
【００５１】
図３は、火災発生時、対応する圧力センサの検出値の時間変化の一例を示すグラフである。図３では、一例として火災現場がスプリンクラーヘッドＨ１の近傍であるという前提で説明するが、火災発生の近傍のスプリンクラーヘッドに連通するポンプの吐出し圧力は、以下と同様に変化する。
【００５２】
図３に示すように、時刻ｔ１は、例えばスプリンクラーヘッドＨ１が火災によって作動を開始した時刻である。スプリンクラーヘッドＨ１の作動とは、所定の温度以上で分岐配管ＰＰ１７の閉塞部が溶解することである。この作動で、分岐配管ＰＰ１７が大気解放となり圧力タンクＰＴ１で保持圧に加圧されている水がスプリンクラーヘッドＨ１より放水される。スプリンクラーヘッドＨ１から放水されることによって、所定の保持圧で維持されていた圧力タンクＰＴ１の圧力が下降する。
【００５３】
時刻ｔ２は、圧力タンクＰＴ１の圧力が、予め設定された始動圧まで下降した時刻である。圧力タンクＰＴ１の圧力が予め設定された始動圧まで下降したら（ここでは時刻ｔ２のとき）、制御盤Ｃ１はポンプＰ１を始動する。
【００５４】
以上に鑑みると、制御盤Ｃ１は、圧力センサＰＳ１によって検出された圧力が所定の始動圧まで下降した場合、対応する階層である高層階にて火災が発生したと判断することができる。なお、本実施形態では、制御盤Ｃ１は、対応する圧力センサによって検出された圧力が始動圧まで下降したら火災発生と判断する。一実施形態として、制御盤Ｃ１による火災発生の判断は、流量センサＳ１またはＳ２の流量に基づいてもよい。具体的に第１の制御盤は、流量センサＳ１またはＳ２にて所定の水量以上を検知したら火災発生と判断してもよい。また、一実施形態として、放水器に該知の火災検知器を設け、第１の制御盤は当該火災検知器の信号を受信したら火災発生と判断してもよい。また、上記した複数の火災発生の検出手段のうちの何れかを併用してもよい。
【００５５】
図３の時刻ｔ３は、ポンプＰ１が始動完了時刻である。ポンプＰ１が始動すると、ポンプＰ１によって搬送液が加圧されるので、圧力センサＰＳ１の圧力が上昇し始める。このように、制御盤Ｃ１は、極小点となる時刻が、ポンプＰ１が始動完了した時刻であると判断できる。ポンプの始動には、静止摩擦トルクよりも大きなトルクが必要であり、当該静止摩擦トルクが始動トルクのピーク値である。また、ポンプの吐出し圧力は回転速度の２乗に比例する。そのため、制御盤Ｃ１は、ポンプの吐出し圧ＰＳ１が下降から上昇に復帰（時刻ｔ３）したらポンプＰ１が始動完了したと判断することができる。
【００５６】
なお、本実施形態では、火災発生（例えば、時刻ｔ２）から圧力センサＰＳ１の圧力極小点から復帰した時刻ｔ３がポンプＰ１の始動完了とした。一実施形態では、ポンプＰ１の原動機である電動機の電流を監視し、火災発生（例えば、時刻ｔ２）から当該電流が所定の値もしくは所定の変化量となったらポンプＰ１の始動完了としてもよい。一実施形態では、火災発生（例えば、時刻ｔ２）から所定の時間間隔後をポンプＰ１の始動完了としてもよい。一実施形態では、火災発生（例えば、時刻ｔ２）から流量センサＳ１が所定の流量以上となったらポンプＰ１の始動完了としてもよい。一実施形態では、上述の始動完了の検出方法を併用してもよい。
【００５７】
続いて、図４から図６を用いて、本実施形態において高層階で火災が発生したときの処理の流れを説明する。図４は、本実施形態において高層階で火災が発生したときの制御盤Ｃ１の処理の流れの一例を示すフローチャートである。図５は、消火ポンプ装置Ｓにおける逆順次始動の一例を示すフローチャートである。図６は、消火ポンプ装置Ｓにおける順次始動の一例を示すフローチャートである。一例として火災現場がスプリンクラーヘッドＨ１の近傍であるという前提で説明する。
【００５８】
まず、図４にて、高層階で火災が発生したときの消火ポンプ装置Ｓの動きを説明する。
【００５９】
（ステップＳ１０）火災が発生した場合、スプリンクラーヘッドＨ１が作動し、スプリンクラーヘッドＨ１から圧力タンクＰＴ１にて加圧された水が放出される。
【００６０】
（ステップＳ２０）スプリンクラーヘッドＨ１から水が放出されることにより、高層階に設置された圧力センサＰＳ１の圧力値が始動圧以下になる。これにより、制御盤Ｃ１は火災が発生したと判断する。
【００６１】
（ステップＳ３０）選択スイッチ１１によって、順次始動と逆順次始動のどちらが選択されているかによって処理が分かれる。逆順次始動が選択されている場合、消火ポンプ装置Ｓは、図５に示すステップＳ１００以降の処理が実行される。一方、順次始動が選択されている場合、消火ポンプ装置Ｓは、図６に示すステップＳ２００以降の処理が実行される。
【００６２】
次に、図５を用いて逆順次始動について説明する。
【００６３】
（ステップＳ１１０）火災が発生した階の放水器に連通する第１のポンプであるポンプＰ１に対応する制御盤Ｃ１が、火災発生信号を生成し、入出力部１３を介して制御盤Ｃ２、Ｃ３へ出力する。
【００６４】
（ステップＳ１１２）制御盤Ｃ１は、ポンプＰ１の原動機（例えば電動機：図示せず）に運転信号を出力することにより、当該ポンプＰ１の始動を制御する。これにより、火災が発生した階の放水器に連通するポンプＰ１が始動する。
【００６５】
（ステップＳ１１４）制御盤Ｃ１は、高層階に設置されたポンプＰ１の始動完了を判断するまで（ステップＳ１１４：Ｎｏ）待機する。そして、制御盤Ｃ１は、高層階に設置されたポンプＰ１の始動完了を判断したら（ステップＳ１１４：Ｙｅｓ）、ステップＳ１１６に移行する。ここで高層階に設置されたポンプＰ１の始動完了を判断する場合とは、例えばポンプＰ１の吐出し圧ＰＳ１が下降から上昇に転じた場合である。
【００６６】
（ステップＳ１１６）制御盤Ｃ１は、ポンプＰ１の始動完了信号を、入出力部１３並びに信号線Ｌ１を介して、出力する。ポンプＰ１の始動完了信号は、階下のポンプを始動させるための始動指令信号であって、制御盤Ｃ２および／または制御盤Ｃ３に出力される。
【００６７】
ここで、火災が発生した階下の中層階に設置された制御盤Ｃ２の動きについて説明する。
（ステップＳ１２０）制御盤Ｃ２は、ステップＳ１１０にて生成された火災信号が入力されたら自身のタイマー１４３（以下、制御盤Ｃ２のタイマー１４３をタイマーＴＭ２と呼ぶ）をリセットし、カウントを開始する。
【００６８】
（ステップＳ１２１）制御盤Ｃ２は、タイマーＴＭ２を用いて、所定の遅延時間の間、待機（ステップＳ１２１：Ｎｏ）する。ここで、タイマーＴＭ２は、先に始動するポンプＰ１の始動渋滞によってポンプ装置Ｓ内の全てのポンプが停止状態となり延焼してしまうという事態を防止するタイマーである。つまり、ポンプＰ１が始動渋滞となりステップＳ１１４：Ｎｏの状態で待機してしまっても、制御盤Ｃ２は、タイマーＴＭ２のカウントが所定の遅延時間になった場合（ステップＳ１２１：Ｙｅｓ）、ポンプＰ２を始動する。
【００６９】
（ステップＳ１２２）ここで、制御盤Ｃ２は、タイマーＴＭ２のカウントが所定の遅延時間になった場合（ステップＳ１２１：Ｙｅｓ）、または、ステップＳ１１６にて制御盤Ｃ１が出力したポンプＰ１の始動完了信号が入力された場合、ステップＳ１２４を実行する。
【００７０】
（ステップＳ１２４）中層階に設置された制御盤Ｃ２は、ポンプＰ２の始動を制御する。これにより、ポンプＰ２が始動する。
【００７１】
（ステップＳ１２６）制御盤Ｃ２は、ポンプＰ２の始動完了を判断するまで待機（ステップＳ１２６：Ｎｏ）する。そして、制御盤Ｃ２は、中層階に設置されたポンプＰ２の始動完了を判断したら（ステップＳ１２６：Ｙｅｓ）、ステップＳ１２８を実行する。ここで中層層階に設置されたポンプＰ２の始動完了を判断する場合とは、例えばポンプＰ２の吐出し圧ＰＳ２が下降から上昇に転じた場合である。
【００７２】
（ステップＳ１２８）制御盤Ｃ２は、ポンプＰ２の始動完了信号を出力する。ポンプＰ２の始動完了信号は、階下のポンプＰ３を始動させるための始動指令信号であって制御盤Ｃ３および／または制御盤Ｃ１に出力される。
【００７３】
次に、火災が発生した階下の下層階に設置された制御盤Ｃ３の動きについて説明する。
（ステップＳ１３０）下層階に設置された制御盤Ｃ３は、ステップＳ１１０にて生成された火災信号が入力されたら自身のタイマー１４３（以下、制御盤Ｃ３のタイマー１４３をタイマーＴＭ３と呼ぶ）をリセットし、カウントを開始する。
【００７４】
（ステップＳ１３１）制御盤Ｃ３は、タイマーＴＭ３を用いて、所定の遅延時間待機（ステップＳ１３１：Ｎｏ）する。ここで、タイマーＴＭ３は、ポンプＰ１および／またはポンプＰ２の始動渋滞によって、次に始動するポンプが停止状態で停滞するのを防止するためのタイマーである。つまり、ポンプＰ１および／またはポンプＰ２が始動渋滞でステップＳ１１４：ＮｏまたはステップＳ１２４：Ｎｏで待機してしまっても、タイマーＴＭ３のカウントが所定の遅延時間になった場合（ステップＳ１３１：Ｙｅｓ）、ポンプＰ３を始動することができる。なお、タイマーＴＭ２の所定の遅延時間をタイマーＴＭ３の所定の遅延時間よりも短くすることで、ポンプＰ２の後にポンプＰ３を始動することができる。
【００７５】
（ステップＳ１３２）ここで、制御盤Ｃ３は、タイマーＴＭ３のカウントが所定の遅延時間になった場合（Ｓ１３１：Ｙｅｓ）、または、ステップＳ１２８にて制御盤Ｃ２が出力したポンプＰ２の始動完了信号が入力されたら、Ｓステップ１３４を実行する。
【００７６】
（ステップＳ１３４）制御盤Ｃ３は、ポンプＰ３の原動機（例えば電動機：図示せず）に出力することにより、当該ポンプＰ３の始動を制御する。これにより、ポンプＰ３が始動する。
【００７７】
そして、逆順次始動が完了する。逆順次始動が完了すると、消火用水は図１の矢印Ａ１からＡ９の流路を経てスプリンクラーヘッドＨ１から放水される。ここで、ポンプＰ１はポンプＰ２が始動するまでは水槽Ｔ１に貯水された水を放水し、ポンプＰ２はポンプＰ３が始動するまでは水槽Ｔ２に貯水されたＰ１へ搬送する。そのため、タイマーＴＭ２，ＴＭ３の遅延時間はそれぞれ、建築物の設計によって決まる水槽Ｔ１、Ｔ２の容量によって変更できるとよい。また、一実施形態として、制御盤Ｃ１，Ｃ２，Ｃ３は各自ポンプＰ１，Ｐ２，Ｐ３が始動中である信号を出力し、他の制御盤は、当該始動中の信号が入力されたら、自身のポンプ始動を待機させるとよい。
【００７８】
続いて、図６を用いて、高層階で火災が発生したときの順次始動の処理の流れを説明する。
【００７９】
（ステップＳ２０３）火災が発生した階の放水器に連通する第１のポンプであるポンプＰ１に対応する制御盤Ｃ１が、火災発生信号を生成し、入出力部１３並びに信号線Ｌ１を介して制御盤Ｃ２、Ｃ３へ出力する。
【００８０】
（ステップＳ２１０）下層階に設置された制御盤Ｃ３は、火災発生信号が入力されるまで待機する（ステップＳ２１０：Ｎｏ）。そして、制御盤Ｃ３は、火災発生信号が入力された場合（ステップＳ２１０：Ｙｅｓ）、次のステップ（ステップＳ２１２）に進む。
【００８１】
（ステップＳ２１２）制御盤Ｃ３は、火災発生信号が入力された場合（ステップＳ２１０：Ｙｅｓ）、下層階に設置されたポンプＰ３を始動するよう制御する。
【００８２】
（ステップＳ２１４）これにより、下層階に設置されたポンプＰ３が始動し、制御盤Ｃ３は、ポンプＰ３の始動完了を判断する。ここで、ポンプＰ３の始動完了の判断は、例えばポンプＰ３の吐出し圧ＰＳ３が下降から上昇に転じた場合である。また、ステップＳ２１２にて始動制御した後に所定の時間経過したらポンプＰ３の始動完了と判断してもよい。
【００８３】
（ステップＳ２１６）その後、制御盤Ｃ３は、下層階に設置されたポンプＰ３が運転していることを示す始動完了信号を、制御盤Ｃ２、Ｃ１に出力する。
【００８４】
（ステップＳ２１８）制御盤Ｃ２は、ポンプＰ３の始動完了信号が入力されるまで待機（ステップＳ２１８：ＮＯ）する。そして、制御盤Ｃ２は、ポンプＰ３の始動完了信号が入力されたら（ステップＳ２１８：Ｙｅｓ）、ポンプＰ２を始動する。ここで、制御盤Ｃ２は、タイマー１４３を用いて、所定の遅延時間だけポンプＰ２を停止状態で待機させた後、ステップＳ２２０に移行してもよい。
【００８５】
（ステップＳ２２０）制御盤Ｃ２は、中層階に設置されたポンプＰ２を始動するよう制御する。
【００８６】
（ステップＳ２２２）これにより、中層階に設置されたポンプＰ２が始動し、ポンプＰ２の始動が完了する。ここで、ポンプＰ２の始動完了の判断は、例えばポンプＰ２の吐出し圧ＰＳ２が下降から上昇に転じた場合である。また、ステップＳ２２０にて始動制御した後に所定の時間経過したらポンプＰ２の始動完了と判断してもよい。
【００８７】
（ステップＳ２２４）その後、制御盤Ｃ２は、中層階に設置されたポンプＰ２が運転していることを示す始動完了信号を、高層階の制御盤Ｃ１へ出力する。
【００８８】
（ステップＳ２２６）高層階の制御盤Ｃ１は、ポンプＰ２の始動完了信号が入力されるまで待機（ステップＳ２２６：Ｎｏ）する。そして、高層階の制御盤Ｃ１は、このポンプＰ２の始動完了信号が入力されたら（ステップＳ２２６：Ｎｏ）、ステップＳ２２８に移行する。ここで、制御盤Ｃ１は、タイマー１４３を用いて、所定の遅延時間だけポンプＰ１を停止状態で待機した後にステップＳ２２８に移行してもよい。
【００８９】
（ステップＳ２２８）制御盤Ｃ１１は、高層階に設置されたポンプＰ１を始動するよう制御する。
【００９０】
（ステップＳ２３０）これにより、高層階に設置されたポンプＰ１が始動し、ポンプＰ１の始動が完了する。
【００９１】
ここで、図６に示すように、順次始動制御では、高層階で火災が発生した場合、下層階のポンプから順に起動するため、逆順次始動制御に比べて、火災発生から高層階のポンプＰ１を起動するまでの時間が長くなる。
【００９２】
逆順次始動制御では、高層階で火災が発生した場合、当該火災と同じ高層階のポンプを最初に起動し、順々に下の階のポンプが起動するため、特に、初期消火に有効に作用できる。
【００９３】
また、本実施形態の逆順次始動制御では、下層階のポンプが起動するまでの間、定期試験用に設置された水槽（以下、中間水槽ともいう）を使用し、ポンプが空運転しないタイミングで逆順次始動を完了させる。また、本実施形態の逆順次始動制御では、火災発生階のポンプＰ１の始動と同時に、タイマーＴＭ２，ＴＭ３のカウントを開始させ、ポンプＰ１の始動完了前であっても上記タイマーが所定の遅延時間になったら、下層階のポンプＰ２，Ｐ３の運転を開始させる。これにより、先に始動する上層階のポンプＰ１が何等かの要因で始動できない状態であっても、階下のポンプＰ２，Ｐ３が始動するため、下階への放水や配管ＰＰｂ１、配管ＰＰｂ２のバイパス流路によって火災現場へ放水できる可能性が生じる。これにより、火災が発生した階の放水器に連通するポンプが起動できない場合でも、延焼を速やかに防止できる。
【００９４】
以上、本実施形態に係る消火ポンプ装置Ｓは、吸込口が当該階の水槽に連通しており且つ吐出口が当該階の放水器に連通する複数のポンプＰ１〜Ｐ３を備える。更に、消火ポンプ装置Ｓは、対応する前記ポンプＰ１〜Ｐ３を制御する複数の制御盤Ｃ１〜Ｃ３を備える。そして、消火ポンプ装置Ｓは、前記複数のポンプは、建築物の互いに異なる階に設置され且つ下の階のポンプＰ３、Ｐ２が上の階のポンプＰ２、Ｐ１の上流側になるように連結され、火災発生時には、複数のポンプＰ１〜Ｐ３のうち、当該火災発生現場の放水器に連通するポンプである第１のポンプが最初に始動し、前記第１のポンプの始動完了後に、当該第１のポンプよりも低い階のポンプが始動する。一例として、上層階での火災発生時には、複数のポンプＰ１〜Ｐ３のうち、当該火災発生現場の放水器（スプリンクラーヘッドＨ１）に連通するポンプである第１のポンプＰ１が最初に始動し、第１のポンプＰ１の始動完了後に、当該第１のポンプＰ１よりも低い階のポンプＰ２または／およびＰ３が始動する。また、一例として、中層階での火災発生時には、複数のポンプＰ１〜Ｐ３のうち、当該火災発生現場の放水器（スプリンクラーヘッドＨ２）に連通するポンプである第１のポンプＰ２が最初に始動し、第１のポンプＰ２の始動完了後に、当該第１のポンプＰ２よりも低い階のポンプＰ３が始動する。更に消火ポンプ装置Ｓは、対応する前記ポンプＰ１〜Ｐ３の吐出口に連通する複数の圧力タンクＰＴ１〜ＰＴ３を備える。更に消火ポンプ装置Ｓは、ポンプＰ１〜Ｐ３の吐出側の圧力を検出する複数の圧力センサＰＳ１〜ＰＳ３を備える。
【００９５】
消火ポンプ装置Ｓに設けられた複数の制御盤Ｃ１〜Ｃ３のうちの一つである第１の制御盤は、対応する前記放水器から出力された火災信号もしくは前記対応する圧力センサによって検出された圧力に基づいて、当該第１の制御盤に対応するポンプである第１のポンプを始動するよう制御し、当該第１のポンプの次に低い階に設置されたポンプである第２のポンプに対応する制御盤である第２の制御盤に始動指令信号を出力する。一例として、高層階での火災発生時に始動したポンプＰ１を制御する制御盤Ｃ１は、当該ポンプの始動完了にて始動完了信号を出力し、始動したポンプよりも低い階に設置された第２のポンプＰ２を制御する制御盤Ｃ２は、当該始動完了信号が入力されたら前記第２のポンプＰ２を始動する。
【００９６】
前記第２の制御盤は、前記火災信号または前記始動指令信号を受信した場合、前記第２のポンプを始動するよう制御し、当該第２のポンプの次に低い階に設置されたポンプである第３のポンプに対応する制御盤である第３の制御盤に始動指令信号を出力する。
以下同様にして、前記複数のポンプのうち最下層階に設置されたポンプが始動するまで、残りの制御盤はそれぞれ、対応するポンプを上の階から順次始動させる処理を実行する。つまり、消火ポンプ装置Ｓは、火災発生時に、複数のポンプＰ１〜Ｐ３のうち最下階に設置されたポンプＰ３が始動するまで、火災発生の階のポンプから最下階のポンプＰ３まで順（最上階で火災が発生した場合はＰ１、Ｐ２、Ｐ３の順）に始動する。
【００９７】
この構成では、各階に設けられた水槽を使用し、ポンプが空転しないタイミングで上の階から順にポンプを始動させることができる。これにより、上の階で火災が発生した場合、最下層のポンプの始動を待つことなく、火災が発生した階層のポンプが最初に始動されることで、より速やかにポンプによる初期消火ができる。また、放水器が作動したら直ちに対応するポンプを始動することで、圧力タンクＰＴ１による放水時間を短縮できる。これにより圧力タンクＰＴ１の容量を小さくできる。
【００９８】
本実施形態の逆順次始動では、定期試験用に設置された水槽（以下、中間水槽ともいう）の水を使用し初期消火を行う。ここで、一般的に水を搬送するポンプは吸込み側に水が無い状態で運転すると空気を吸って空運転となり、その後もポンプ内に空気が残り送水不可となったり、最悪の場合は破損してしまう虞がある。そこで、本実施形態では、火災検知にて最初に起動するポンプが空運転をしないタイミングで逆順次始動を完了させる。具体的には、水槽Ｔ１の貯水量をＶ１、逆順次始動中（図５のステップＳ１１０〜Ｓ１３４間）にポンプＰ１にて送水される水量をＶ２とすると、Ｖ１＞Ｖ２となるように、Ｖ１やＶ２を調整するとよい。そうすれば、逆順次始動中に火災発生階のポンプが空運転となって放水不可となるのを防止できる。
【００９９】
なお、本実施形態の逆順次始動では、高層階のポンプＰ１、中層階のポンプＰ２、低層階のポンプＰ３の順で始動した。一実施形態として、始動が重なることによる電源容量不足の問題がなければ、先ずは火災発生の階層である高層階のポンプＰ１を始動し、次に中層階のポンプＰ２と低層階のポンプＰ３を同時に始動してもよい。また、一実施形態として、高層階のポンプＰ１を始動し、次に低層階のポンプＰ３を始動し、最後に中層階のポンプＰ２を始動してもよい。これらの場合でも、火災発生現場の放水器に連通するポンプであるポンプＰ１を最初に始動することで、ポンプ装置Ｓは、火災発生時の初期消火に有効に作用できる。
【０１００】
本実施形態では、高層階にて火災が発生した場合を想定して説明した。ここで、中層階にて火災が発生した場合に逆順次始動においては、火災が発生した階の放水器Ｈ３，Ｈ４に連通するポンプであるポンプＰ２を最初に始動するとよい。これにより、ポンプ装置Ｓ２は、中層階での火災発生時の初期消火に有効に作用できる。この場合は、一実施形態として、始動が重なることを回避するために、中層階のポンプＰ２の次に低層階のポンプＰ３を始動するとよい。また、一実施形態として、電源容量不足の問題がなければ、ポンプＰ２を始動し、次にポンプＰ１とポンプＰ３を同時に始動してもよいし、ポンプＰ２を始動し、次にポンプＰ１を始動し、最後にポンプＰ３を始動してもよい。ただし、火災発生を検知した放水器に連通するポンプの次に、より低い階のポンプが始動することで、最初に起動したポンプの吸込側の水槽の水が無くなって、当該ポンプが空運転するのを防止することができる。
【０１０１】
以上、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態にわたる構成要素を適宜組み合わせてもよい。
【符号の説明】
【０１０２】
１１  選択スイッチ
１２  切替回路
１３  通信部
１４  制御部
１４１  逆順次始動回路
１４２  順次始動回路
１４３  タイマー
Ｃ、Ｃ１、Ｃ２、Ｃ３、Ｃ１１、Ｃ１２、Ｃ１３  制御盤
Ｐ１、Ｐ２、Ｐ３  ポンプ
ＰＳ１、ＰＳ２、ＰＳ３  圧力センサ
ＰＴ１、ＰＴ２、ＰＴ３  圧力タンク
Ｓ、Ｓ２  消火ポンプ装置
Ｔ１、Ｔ２、Ｔ３  水槽
【図１】
2020081004.tif 000003
【図２】
2020081004.tif 000004
【図３】
2020081004.tif 000005
【図４】
2020081004.tif 000006
【図５】
2020081004.tif 000007
【図６】
2020081004.tif 000008